(57)【要約】【課題】電子バリューをユーザ設定に応じた項目ごとに管理可能な電子バリュー管理装置を提供すること。【解決手段】ダウンロードした電子マネー（電子バリュー）に対して、おこづかいや家賃、食費、貯金箱、残高等といった各フォルダごとに振込額や使用許可日時、使用禁止日時、使用上限額、使用許可額、使用禁止額等のパラメータが設定されたフォルダ設定部１０１と、ダウンロードされた電子マネーをフォルダごとに記憶する電子マネー記憶部１０３と、フォルダやパラメータの設定変更指示、電子マネー記憶部１０３に格納する電子マネーを入力するための入力部１０５と、フォルダ設定部１０１や電子マネー記憶部１０３、表示部１０９を制御するための電子マネー管理部１０７と、電子マネー記憶部１０３に格納されている電子マネーを各フォルダごとに表示する表示部１０９とを備えて構成されている。【選択図】　　図１
2004013415.tif 000002
【特許請求の範囲】
【請求項１】
電子バリューをユーザ設定に応じた項目ごとに管理する電子バリュー管理装置であって、
外部から受け取った電子バリューをユーザによって設定された複数の項目ごとに割り当てるよう規定するフォルダ設定規定手段と、
電子バリューを受け取ると、前記フォルダ設定規定手段で規定された設定に従って前記電子バリューの少なくとも一部を各項目に割り当てる電子バリュー管理手段と、
前記電子バリュー管理手段によって割り当てられた電子バリューを項目ごとに記憶する電子バリュー記憶手段と、
を備えたことを特徴とする電子バリュー管理装置。
【請求項２】
前記フォルダ設定規定手段は、前記電子バリュー管理手段が割り当てる電子バリューの絶対量または前記外部から受け取った電子バリューに対する割合を項目ごとに規定することを特徴とする請求項１記載の電子バリュー管理装置。
【請求項３】
前記電子バリュー記憶手段に記憶されている各項目の電子バリューを表示する表示手段を備えたことを特徴とする請求項１または２記載の電子バリュー管理装置。
【請求項４】
前記フォルダ設定規定手段は、前記電子バリュー管理手段によって割り当てられた電子バリューに対して所定の制限を規定するパラメータを項目ごとに設定したことを特徴とする請求項１、２または３記載の電子バリュー管理装置。
【請求項５】
前記所定の制限は、前記電子バリュー記憶手段に記憶されている電子バリューの使用を許可する日時について規定するパラメータであることを特徴とする請求項４記載の電子バリュー管理装置。
【請求項６】
前記電子バリュー記憶手段に記憶されている電子バリューの使用を禁止する日時について規定するパラメータであることを特徴とする請求項４記載の電子バリュー管理装置。
【請求項７】
前記電子バリュー記憶手段に記憶されている電子バリューを所定期間内に使用可能な上限について規定するパラメータであることを特徴とする請求項４記載の電子バリュー管理装置。
【請求項８】
前記電子バリュー記憶手段に記憶されている電子バリューが所定量以上であれば使用を許可する量について規定するパラメータであることを特徴とする請求項４記載の電子バリュー管理装置。
【請求項９】
前記電子バリュー記憶手段に記憶されている電子バリューが所定量以下であれば使用を禁止する量について規定するパラメータであることを特徴とする請求項４記載の電子バリュー管理装置。
【発明の詳細な説明】
【０００１】
【発明の属する技術分野】
本発明は、電子バリューをユーザ設定に応じた項目ごとに管理可能な電子バリュー管理装置に関する。
【０００２】
【従来の技術】
電子マネーや電子チケット等の電子バリューを記憶可能な携帯電話等の移動端末を用いて、商品の購入や会場への入場を可能とする技術が現実のものになっている。当該技術を利用すれば、ユーザは移動端末から電子バリューを送信するだけで、例えば自動販売機でジュースを購入するといったことや、コンサート会場に入場するといったことが可能になる。
【０００３】
ユーザがこのような技術を利用するためには電子バリューを予め移動端末に記憶させておく必要があるが、その供給元には銀行やコンビニ等が考えられる。例えば、特開２０００−３０６２３２号公報に開示されているように、携帯電話には運営センターから電子通貨（電子マネー）や電子チケット、各種個人情報等が送られ、携帯電話はこれらの情報を各データ種別ごとに分けて管理していると考えられる。すなわち、当該公報に記載の技術であれば、電子マネーのフォルダ、電子チケットのフォルダ、各種個人情報のフォルダといったように、データ種別毎にフォルダを設け、フォルダ単位での管理を行っていると考えられる。
【０００４】
【発明が解決しようとする課題】
しかしながら、上記従来の技術にあっては、電子バリューに対しデータ種別毎に用意したフォルダ単位での管理を行っているため、例えば、電子マネーのフォルダは単に残高だけを示すのみで、家計簿のようにユーザの設定によって使用目的に応じた詳細な管理を行えない。また、各フォルダについて使用制限をかけるといったことも行えない。このため、ユーザ設定に応じて、電子バリューをデータ種別よりも細かい単位に区分けして管理することができ、かつ、各単位ごとに電子バリューの使用を制限したり表示したりすることのできる電子バリュー管理装置が望まれていた。
【０００５】
本発明は、上記従来の事情または要望に鑑みてなされたものであって、電子バリューをユーザ設定に応じた項目ごとに管理可能な電子バリュー管理装置を提供することを目的としている。
【０００６】
【課題を解決するための手段】
上記目的を達成するために、本発明に係る電子バリュー管理装置は、電子バリューをユーザ設定に応じた項目ごとに管理する電子バリュー管理装置であって、外部から受け取った電子バリューをユーザによって設定された複数の項目ごとに割り当てるよう規定するフォルダ設定規定手段と、電子バリューを受け取ると、前記フォルダ設定規定手段で規定された設定に従って前記電子バリューの少なくとも一部を各項目に割り当てる電子バリュー管理手段と、前記電子バリュー管理手段によって割り当てられた電子バリューを項目ごとに記憶する電子バリュー記憶手段と、を備えている。したがって、電子バリューをユーザ設定に応じた項目ごとに管理することができる。
【０００７】
また、本発明に係る電子バリュー管理装置は、前記フォルダ設定規定手段は、前記電子バリュー管理手段が割り当てる電子バリューの絶対量または前記外部から受け取った電子バリューに対する割合を項目ごとに規定する。
【０００８】
また、本発明に係る電子バリュー管理装置は、前記電子バリュー記憶手段に記憶されている各え項目の電子バリューを表示する表示手段を備えている。したがって、ユーザは、各項目ごとに電子バリューの所有状況を確認することができる。
【０００９】
また、本発明に係る電子バリュー管理装置は、前記フォルダ設定規定手段は、前記電子バリュー管理手段によって割り当てられた電子バリューに対して所定の制限を規定するパラメータを項目ごとに設定する。したがって、各項目ごとに電子バリューの使用を制限することができる。
【００１０】
また、本発明に係る電子バリュー管理装置は、前記所定の制限は、前記電子バリュー記憶手段に記憶されている電子バリューの使用を許可する日時について規定するパラメータである。
【００１１】
また、本発明に係る電子バリュー管理装置は、前記電子バリュー記憶手段に記憶されている電子バリューの使用を禁止する日時について規定するパラメータである。
【００１２】
また、本発明に係る電子バリュー管理装置は、前記電子バリュー記憶手段に記憶されている電子バリューを所定期間内に使用可能な上限について規定するパラメータである。
【００１３】
また、本発明に係る電子バリュー管理装置は、前記電子バリュー記憶手段に記憶されている電子バリューが所定量以上であれば使用を許可する量について規定するパラメータである。
【００１４】
さらに、本発明に係る電子バリュー管理装置は、前記電子バリュー記憶手段に記憶されている電子バリューが所定量以下であれば使用を禁止する量について規定するパラメータである。
【００１５】
【発明の実施の形態】
以下、本発明に係る電子バリュー管理装置の実施の形態について、図面を参照して詳細に説明する。なお、「電子バリュー」とは、例えば、電子マネーやポイント、電子チケット、電子乗車券等の経済価値を有する情報を電子化したものまたは電子化された金券のことをいい、本実施形態では特に電子マネーに適用した例について説明する。また、本実施形態の電子バリュー管理装置は携帯電話やＰＤＡ等の通信端末に搭載されている。
【００１６】
図１は、本発明の一実施形態に係る電子バリュー管理装置を示すブロック図である。同図において、本実施形態の電子バリュー管理装置は、特許請求の範囲のフォルダ設定規定手段に該当するフォルダ設定部１０１と、電子バリュー記憶手段に該当する電子マネー記憶部１０３と、入力部１０５と、電子バリュー管理手段に該当する電子マネー管理部１０７と、表示手段に該当する表示部１０９とを備えて構成されており、ユーザ設定に応じてダウンロードした電子マネーをデータ種別よりも細かい単位で管理および表示するものである。
【００１７】
以下、本実施形態の電子バリュー管理装置が有する各構成要素について説明する。
まず、フォルダ設定部１０１について説明する。フォルダ設定部１０１は、例えば通信手段（図示せず）を用いて銀行口座からダウンロードした電子マネーに対してどのような管理または規制を行うかについての情報が、おこづかいや家賃、食費、貯金箱、残高等といった各フォルダごとに設定されたものである。管理または表示の対象となる各フォルダには、図１に一例を示したように、「振込額」や「使用許可日時」、「使用禁止日時」、「使用上限額」、「使用許可額」、「使用禁止額」等のパラメータが設定されている。
【００１８】
「振込額」とは、電子マネーの一括ダウンロード時に各フォルダに振り込む額を規定するパラメータであり、図１に示した例は、おこづかいとして３万円、家賃として５万円、食費として１万５千円、貯金として２万円が割り当てられ、ダウンロードした電子マネーからこれらの振込額の合計を差し引いた額が残高として割り当てられることを示している。
【００１９】
また、「使用許可日時」とは電子マネーを使用可能な日時について規定するパラメータであり、「使用禁止日時」とは電子マネーの使用を禁止する日時について規定するパラメータである。図１に示した例では、家賃として割り当てられた電子マネーは毎月２６日のみ使用することができ、それ以外の日は使用することができないことを示している。
【００２０】
また、「使用上限額」とは、電子マネーを所定期間内に使用することのできる上限額であり、図１に示した例では、食費として割り当てられた電子マネーは１日に付き千円まで使用可能であることを示している。
【００２１】
また、「使用許可額」とは、電子マネーが当該額面以上であれば使用を許可するその額であり、図１に示した例では、貯金として割り当てられた電子マネーが５千円以上であれば使用することができることを示している。
【００２２】
また、「使用禁止額」とは、電子マネーが当該額面以下であれば使用を禁止するその額であり、図１に示した例では、残金として割り当てられた電子マネーが１万円以下であれば使用することができないことを示している。
【００２３】
次に、電子マネー記憶部１０３について説明する。電子マネー記憶部１０３は、ダウンロードされた電子マネーを記憶するためのものであり、各フォルダ設定部１０１に設定されているフォルダごとに電子マネーを記憶している。なお、以前にダウンロードした電子マネーが残っている場合はこれに追加して記憶される。
【００２４】
次に、入力部１０５について説明する。入力部１０５は、フォルダ設定部１０１に対するフォルダまたはパラメータの変更、追加、削除や、電子マネー記憶部１０３から電子マネーの取り出し、電子マネー記憶部１０３に格納されている電子マネーの表示部１０９への表示の指示、または、電子マネー記憶部１０３に格納する電子マネーを入力するものである。
【００２５】
次に、電子マネー管理部１０７について説明する。電子マネー管理部１０７は、本実施形態の電子バリュー管理装置を制御するものである。より具体的には、フォルダ設定部１０１から各フォルダに設定されたパラメータを読み出す、電子マネー記憶部１０３に電子マネーを格納する、電子マネー記憶部１０３に格納されている電子マネーを取り出す、電子マネー記憶部１０３に格納されている電子マネーを各フォルダごとに表示部１０９に表示するよう処理するといったことを行う。また、フォルダ設定部１０１から読み出したパラメータに基づいて、電子マネーの使用を許可するか禁止するかといった判断も行う。
【００２６】
次に、表示部１０９について説明する。表示部１０９は、電子マネー記憶部１０３に格納されている電子マネーを各フォルダごとに表示するものであり、図１に示した例では、おこづかいが３万円、家賃が５万円、食費が１万５千円、貯金が２万円、残高が１万円といったようにフォルダごとに表示する。
【００２７】
以上説明したように、本実施形態の電子バリュー管理装置によれば、電子マネーをユーザ設定によりデータ種別よりも細かい単位のフォルダに区分けし、パラメータに応じて管理することができるため、家計簿のように使用目的に合わせてユーザ独自の管理を行うことができる。また、各フォルダごとに電子マネーの使用を制限するができる。さらに、ユーザは、各フォルダごとに電子マネーの所有状況を確認することができる。
【００２８】
なお、本実施形態では、電子マネーを銀行からダウンロードする場合について説明しているが、銀行に限らずコンビニや券売機等からダウンロードしても良い。また、通信（無線、有線を問わない。）によってダウンロードする形態に限らず、小型メモリカード等を用いても良い。また、本実施形態の電子バリュー管理装置が搭載される機器は、携帯電話やＰＤＡ等の通信端末に限らずノートパソコン等の機器であっても良い。また、フォルダ設定部１０１に設定されているパラメータ「振込額」をダウンロードされた電子マネーの割合で表しても良い。また、電子マネー記憶部１０３に格納された電子マネーは、ユーザからの指示によりフォルダ間で移動可能である。
【００２９】
【発明の効果】
以上説明したように、本発明に係る電子バリュー管理装置によれば、電子バリューをユーザ設定に応じた項目ごとに管理することができる。また、各項目ごとに電子バリューの使用を制限することができる。さらに、ユーザは、各項目ごとに電子バリューの所有状況を確認することができる。
【図面の簡単な説明】
【図１】本発明の一実施形態に係る電子バリュー管理装置を示すブロック図
【符号の説明】
１０１　フォルダ設定部
１０３　電子マネー記憶部
１０５　入力部
１０７　電子マネー管理部
１０９　表示部
【図１】
2004013415.tif 000003